(57)【特許請求の範囲】
【請求項１】
所定の作像方向へ移動してトナー像が形成される像担持体と、
前記像担持体へ圧接して記録媒体を像担持体と共に搬送し、かつ像担持体のトナー像を記録媒体へ転写する転写部材と、
前記転写部材と前記像担持体との圧接部へ搬送路に従って記録媒体を搬送する搬送部材と、
前記搬送路に沿って延在し、前記圧接部側の一端を自由端として撓み方向へ弾性変形可能に支持された弾性ガイド部材と、
前記弾性ガイド部材を押圧して前記撓み方向における案内位置へ弾性変形させ、この弾性ガイド部材により記録媒体を前記圧接部へ案内させる押圧部材と、
装置本体における所定の装着位置へ着脱可能に装着され、前記像担持体上の静電潜像を現像する現像装置と、を有し、
前記押圧部材は、前記現像装置に設けられ、前記現像装置が前記装着位置に装着されると共に、前記弾性ガイド部材を押圧して前記案内位置へ弾性変形させ、前記現像装置が前記装着位置から離脱すると共に、前記案内位置にある前記弾性ガイド部材から離脱することを特徴とする画像形成装置。
【請求項２】
所定の作像方向へ移動してトナー像が形成される像担持体と、
前記像担持体へ圧接して記録媒体を像担持体と共に搬送し、かつ像担持体のトナー像を記録媒体へ転写する転写部材と、
前記転写部材と前記像担持体との圧接部へ搬送路に従って記録媒体を搬送する搬送部材と、
前記搬送路に沿って延在し、前記圧接部側の一端を自由端として撓み方向へ弾性変形可能に支持された弾性ガイド部材と、
前記弾性ガイド部材を押圧して前記撓み方向における案内位置へ弾性変形させ、この弾性ガイド部材により記録媒体を前記圧接部へ案内させる押圧部材と、
前記像担持体並びに、この像担持体へ電子写真プロセスに基づいてトナー像を形成するための帯電装置，現像装置及びクリーニング装置のうち少なくとも１装置が一体的に構成され、装置本体における所定の装着位置へ着脱可能に装着されるプロセスカートリッジと、を有し、
前記押圧部材は、前記プロセスカートリッジに設けられ、前記プロセスカートリッジが前記装着位置に装着されると共に、前記弾性ガイド部材を押圧して前記案内位置へ弾性変形させ、前記プロセスカートリッジが前記装着位置から離脱すると共に、前記案内位置にある前記弾性ガイド部材から離脱することを特徴とする画像形成装置。
【請求項３】
前記案内位置へ支持された前記弾性ガイド部材は、その自由端を前記圧接部へ接する接線から離間させる位置へ延出させたことを特徴とする請求項１又は２記載の画像形成装置。
【請求項４】
前記弾性ガイド部材を導電性を有する材料により形成したことを特徴とする請求項１，２又は３記載の画像形成装置。
【発明の詳細な説明】
【０００１】
【発明の属する技術分野】
本発明は、電子写真プロセスに基づいて像担持体へトナー像を形成し、このトナー像を記録媒体へ転写する画像形成装置に関する。
【０００２】
【従来の技術】
レーザプリンタ等の画像形成装置には、ドラム状の像担持体を回転可能に支持し、この像担持体の外周面へ転写ロールを圧接させる構造のものがある。このような画像形成装置では、像担持体が所定の作像方向へ回転すると共に電子写真プロセスに基づいて像担持体の外周面へトナー像が形成され、このトナー像が所定の位置へ到達したタイミングで像担持体と転写ロールとの圧接部（ニップ部）へ記録紙を挿入する。転写ロールはニップ部へ挿入された記録紙を像担持体と共に挟持して搬送し、この搬送動作と共に像担持体との間に電界を形成して静電的な力により像担持体上のトナー像を記録紙上へ転写する。
【０００３】
上記のように電子写真プロセスに基づいて画像形成する画像形成装置では、像担持体の周囲に転写ロールと共に現像装置，クリーニング装置，帯電装置等が配置される。さらに転写ロールと現像装置との間には、転写ロールと像担持体とのニップ部へ記録紙を案内するガイド板が配置され、このガイド板により記録紙の搬送路が構成される。
【０００４】
【発明が解決しようとする課題】
近年、画像像形成装置は、ユーザから小型化が強く要望されていることから、像担持体の周囲に配置される転写ロールと現像装置との間のクリアランスを小さくすることが求められている。転写ロールと現像装置との間のクリアランスを小さくするには、転写ロールと現像装置との間に配置されるガイド板を薄くすることが必要になる。しかし、このような対応を採るとガイド板の剛性を確保することが困難になるので、転写ロールと現像装置との間のクリアランスを十分小さくできなかった。一方、転写ロールと現像装置との間の搬送路に記録紙が詰まった場合には、搬送路を構成したガイド板が転写ロール及び現像装置と近接して配置されることから、搬送路内に詰まった記録紙を除去することが困難であった。
【０００５】
本発明の目的は、上記事実を考慮し、転写ロールと像担持体との圧接部へ記録媒体を案内するガイド部材を設置するために必要となるスペースを減少でき、かつ前記ガイド部材により構成された搬送路に詰まった記録媒体を簡単に除去できる画像形成装置を提供することにある。
【０００６】
【課題を解決するための手段】
請求項１記載の画像形成装置は、所定の作像方向へ移動してトナー像が形成される像担持体と、前記像担持体へ圧接して記録媒体を像担持体と共に搬送し、かつ像担持体のトナー像を記録媒体へ転写する転写部材と、前記転写部材と前記像担持体との圧接部へ搬送路に従って記録媒体を搬送する搬送部材と、前記搬送路に沿って延在し、前記圧接部側の一端を自由端として撓み方向へ弾性変形可能に支持された弾性ガイド部材と、前記弾性ガイド部材を押圧して前記撓み方向における案内位置へ弾性変形させ、この弾性ガイド部材により記録媒体を前記圧接部へ案内させる押圧部材と、装置本体における所定の装着位置へ着脱可能に装着され、前記像担持体上の静電潜像を現像する現像装置と、を有し、前記押圧部材は、前記現像装置に設けられ、前記現像装置が前記装着位置に装着されると共に、前記弾性ガイド部材を押圧して前記案内位置へ弾性変形させ、前記現像装置が前記装着位置から離脱すると共に、前記案内位置にある前記弾性ガイド部材から離脱することを特徴とする。
【０００７】
上記構成の画像形成装置によれば、弾性ガイド部材が圧接部側の一端を自由端として撓み方向へ弾性変形可能に支持され、押圧部材により押圧されて案内位置へ弾性変形することにより、弾性ガイド部材が固定端側のみが装置本体側へ固定された弾性材料により構成される。従って、この弾性ガイド部材は、大きな弾性変形が許容されない従来のガイド部材と比較して高い剛性が必要なく、弾性ガイド部材の形状を搬送路に対する直交方向へ薄くできる。このため、転写ロールと像担持体との圧接部へ記録媒体を案内するガイド部材を設置するために必要となるスペースを減少できる。
また上記構成の画像形成装置によれば、押圧部材が現像装置に設けられ、この現像装置が装着位置に装着されると共に、弾性ガイド部材を押圧して案内位置へ弾性変形させ、現像装置が装着位置から離脱すると共に、案内位置にある弾性ガイド部材から離脱することにより、弾性ガイド部材により構成される搬送路に記録媒体が詰まった場合には、現像装置を装着位置から離脱させれば、押圧部材を弾性ガイド部材から離脱させて、弾性ガイド部材を記録媒体から離間する方向へ復元できるので、記録媒体を搬送路から簡単に除去できる。
【０００８】
ここで、記録媒体とは記録紙，透明フィルム等のシート状記録材料である。弾性ガイド部材は撓み方向へ弾性変形が可能な樹脂，金属等の材料から形成される。また弾性ガイド部材は、例えば、シート状，一端部がそれぞれ固定された複数の棒状部材，搬送方向へ延在するリブを有するシート状又は、これらを組み合わせて構成される。
【０００９】
請求項２記載の画像形成装置は、所定の作像方向へ移動してトナー像が形成される像担持体と、前記像担持体へ圧接して記録媒体を像担持体と共に搬送し、かつ像担持体のトナー像を記録媒体へ転写する転写部材と、前記転写部材と前記像担持体との圧接部へ搬送路に従って記録媒体を搬送する搬送部材と、前記搬送路に沿って延在し、前記圧接部側の一端を自由端として撓み方向へ弾性変形可能に支持された弾性ガイド部材と、前記弾性ガイド部材を押圧して前記撓み方向における案内位置へ弾性変形させ、この弾性ガイド部材により記録媒体を前記圧接部へ案内させる押圧部材と、前記像担持体並びに、この像担持体へ電子写真プロセスに基づいてトナー像を形成するための帯電装置，現像装置及びクリーニング装置のうち少なくとも１装置が一体的に構成され、装置本体における所定の装着位置へ着脱可能に装着されるプロセスカートリッジと、を有し、前記押圧部材は、前記プロセスカートリッジに設けられ、前記プロセスカートリッジが前記装着位置に装着されると共に、前記弾性ガイド部材を押圧して前記案内位置へ弾性変形させ、前記プロセスカートリッジが前記装着位置から離脱すると共に、前記案内位置にある前記弾性ガイド部材から離脱することを特徴とする。
【００１０】
上記構成の画像形成装置によれば、請求項１記載の画像形成装置と同様に、弾性ガイド部材の形状を搬送路に対する直交方向へ薄くできるため、転写ロールと像担持体との圧接部へ記録媒体を案内するガイド部材を設置するために必要となるスペースを減少できる。
また上記構成の画像形成装置によれば、押圧部材がプロセスカートリッジに設けられ、このプロセスカートリッジが装着位置に装着されると共に、弾性ガイド部材を押圧して案内位置へ弾性変形させ、プロセスカートリッジが装着位置から離脱すると共に、案内位置にある弾性ガイド部材から離脱することにより、弾性ガイド部材により構成される搬送路に記録媒体が詰まった場合には、プロセスカートリッジを装着位置から離脱させれば、押圧部材を弾性ガイド部材から離脱させて、弾性ガイド部材を記録媒体から離間する方向へ復元できるので、記録媒体を搬送路から簡単に除去できる。
【００１３】
請求項３記載の画像形成装置は、請求項１又は２記載の画像形成装置において、前記案内位置へ支持された前記弾性ガイド部材は、その自由端を前記圧接部へ接する接線から離間させる位置へ延出させたものである。
【００１４】
上記構成の画像形成装置によれば、圧接部へ搬送される記録媒体が弾性ガイド部材の自由端へ圧接することなく弾性ガイド部材から離間するので、記録媒体が弾性ガイド部材の自由端へ圧接して後端付近が撓み状態となり、記録媒体が弾性ガイド部材から離間する時の振動等により記録媒体上へ転写されているトナー像が乱れることを防止できる。
【００１５】
請求項４記載の画像形成装置は、請求項１，２又は３記載の画像形成装置において、前記弾性ガイド部材を導電性を有する材料により形成したものである。
【００１６】
上記構成の画像形成装置によれば、転写部材と像担持体との圧接部へ搬送される記録媒体が他の記録媒体との摩擦等により帯電されている場合に、この帯電された記録媒体を、圧接部への到達前に導電性を有するガイド部材へ接触させて除電できるので、帯電電荷の影響により圧接部で像担持体から記録媒体へ転写されるトナー像が乱れることを防止できる。
【００１７】
【発明の実施の形態】
以下、本発明の実施形態について図面を参照して説明する。
【００１８】
（実施形態の構成）
図１及び図２には本発明の実施形態に係る画像形成装置が示されている。この画像形成装置の装置本体１０は、図１に示されるように公知の電子写真プロセスに係る各種の部品が配置された外装筐体１２を備えている。この外装筐体１２は高さ方向において２分割された構造とされており、筐体下部を形成した固定側筐体部１４と、この固定側筐体部１４の上部へ配置された開閉側筐体部１６とからなる。また外装筐体１２の上面には装置内部から排出された記録紙が積載される排紙部１８が設けられている。開閉側筐体部１６は、その一端部に設けられた支軸２０により固定側筐体部１４へ連結されており、この支軸２０を中心として固定側筐体部１４により図１において実線で示される閉鎖位置から２点鎖線で示される開放位置までの範囲で揺動可能に支持されている。
【００１９】
外装筐体１２内には、図１に示されるように排紙部１２の下方に露光装置２２及びプロセスカートリッジ２４が隣接するように配置されている。プロセスカートリッジ２４は、ドラム状の像担持体２６と、この像担持体２６の外周面２６Ａと対向するように支持された現像装置２８，帯電ロール３０及びクリーニング装置３２が一体的に構成されたものである。プロセスカートリッジ２４は、開閉側筐体部１６を開放位置へ揺動させた状態で外装筐体１２内から外部へ抜き取り、また外部から外装筐体１２内へ装着することが可能になるように着脱可能に支持されている。
【００２０】
外装筐体１２内には筐体下部へ記録紙Ｐを収納した給紙トレー３４が装着され、この用紙トレー３４の上方にフィードロール３６が回転可能に支持されている。フィードロール３６は給紙時には矢印方向へ回転すると共に１枚の記録紙Ｐを用紙トレー３４から外部へ送出する。この記録紙Ｐは１点鎖線により示された搬送路Ｃに従って外装筐体１２内を搬送される。外装筐体１２内には、搬送路Ｃに沿ってレジロール３８，像担持体２６へ圧接した転写ロール４０，除電電極４２及び定着装置４４が配置されている。ここで、転写ロール４０と現像装置２８とは搬送路Ｃを挟んで互いに対向するように配置されている。
【００２１】
外装筐体１２内には、レジロール３８と転写ロール４０との間に搬送路Ｃに沿ってガイド板４６，このガイド板４６と搬送路Ｃを挟んで対向配置されたガイド板４８及びこのガイド板４８により支持された弾性ガイド板５０がそれぞれ延在している。ガイド板４６は搬送路Ｃを境界として転写ロール４０側へ支持され、ガイド板４８及び弾性ガイド板５０は搬送路Ｃを境界として像担持体２６側へ支持されている。これにより、ガイド板４８及び弾性ガイド板５０は、搬送路Ｃを搬送される記録紙Ｐの表面（記録面）へ接して記録紙Ｐを転写ロール４０の像担持体２６へのニップ部４０Ａへ案内し、ガイド板４６は、搬送路Ｃを搬送される記録紙Ｐの裏面へ接して記録紙Ｐを転写ロール４０の像担持体２６へのニップ部４０Ａへ案内する。
【００２２】
ガイド板４６及びガイド板４８は樹脂等により形成されており、ニップ部４０Ａへ搬送される記録紙Ｐへ接して記録紙Ｐを案内する。これらのガイド板４６，４８は、搬送中の記録紙Ｐにより加圧されても変形及び変位が生じないように十分な剛性を有し、かつ十分な取付強度で外装筐体１２へ固定されている。また弾性ガイド板５０は、例えばポリエチレンテレフタラート（マイラー），ステンレスを厚さ０．０５〜０．５ｍｍ程度のフィルム状に形成したものであり、記録紙Ｐの搬送方向上流側の端部がガイド板４８へ固着されている。これにより、弾性ガイド板５０はニップ部４０Ａ側の一端を自由端５０Ａとして撓み方向へ弾性変形可能に支持される。また弾性ガイド板５０は、アルミニウム，弾性ゴム，ウレタンスポンジをフィルム状又は薄板状に形成したものでもよい。このような弾性ガイド板５０により記録紙Ｐを確実にニップ部４０Ａへ案内するには、弾性ガイド板５０の自由端５０Ａをニップ部４０Ａへ可能な限り近接させることが望ましい。このため、弾性ガイド板５０は、図２（Ａ）に示されるように自由端５０Ａ側の一部を転写ロール４０と現像装置２８との間に形成される空間内へ延出させている。このとき、弾性ガイド板５０は、図３に示されるように自由端５０Ａをニップ部４０Ａへ接する直線（接線Ｘ）に対して上方の位置まで延出させている。
【００２３】
また、弾性ガイド板５０はポリエチレンテレフタラート等の非導電性材料を主原料として形成する場合には、導電性材料が添加又はコーティングされて少なくとも記録紙Ｐへの接触部へ導電性を付与する。このように導電性が付与され、又はステンレス等の導電性材料により形成された弾性ガイド板５０は、その導電部の電位がフレームレベルへ維持されるように金属フレーム，アースブス等へ配線されている。
【００２４】
プロセスカートリッジ２４には、現像装置２８にに押圧部材５２が設けられている。この押圧部材５２は記録紙Ｐの紙幅方向へ弾性ガイド板５０と略同幅の板状に形成されており、略水平に弾性ガイド板５０の方向へ突出するように支持されている。押圧部材５２はプロセスカートリッジ２４が外装筐体１２内の装着位置へ装着されると共に弾性ガイド板５０の自由端５０Ａ付近を押圧し、弾性ガイド板５０を図２（Ｂ）に示される離間位置から図２（Ａ）に示される案内位置へ撓み変形させる。ここで、弾性ガイド板５０が撓み方向へ弾性変形可能に支持されていることから、プロセスカートリッジ２４を装着位置から外部へ抜き取り、押圧部材５２を弾性ガイド板５０から離脱させることにより、押圧部材５２は案内位置から離間位置へ復元する。
【００２５】
（実施形態の作用）
上記のように構成された本実施形態の画像形成装置による動作及び作用を説明する。画像形成装置では画像形成動作の開始と共に像担持体２６が作像方向（図１の矢印方向）へ回転する。帯電ロール３０は像担持体２６の外周面２６Ａを所定の電位へ均一に帯電し、露光装置２２は帯電された像担持体２６の外周面２６Ａをレーザー光Ｌにより走査して静電潜像を形成する。現像装置２８は像担持体２６の外周面２６Ａへ帯電トナーを付着させて静電潜像を現像し、外周面２６Ａ上へトナー像を形成する。
【００２６】
一方、フィードロール３６は給紙トレー３４から１枚の記録紙Ｐを搬送路Ｃへ送出し、この記録紙Ｐを一対のレジロール３８のニップ部へ挿入する。レジロール３８は、フィードロール３６と同期して回転開始して記録紙Ｐをガイド板４６とガイド板４８との間へ挿入し、記録紙Ｐの先端がニップ部４０Ａへ到達する直前で記録紙Ｐの搬送を一旦停止する。レジロール３８は、像担持体２６のトナー像の先端が作像方向における所定位置へ到達したタイミングで記録紙Ｐの搬送を再開し、記録紙Ｐを転写ロール４０のニップ部４０Ａへ挿入する。
【００２７】
転写ロール４０は、ニップ部４０Ａへ挿入された記録紙Ｐを像担持体２６と共に搬送し、この記録紙Ｐの搬送と同時に像担持体２６との間にトナー転写用の電界を発生させて像担持体２６のトナー像を記録紙Ｐへ転写する。除電電極４２はニップ部４０Ａから排出された記録紙Ｐを除電して記録紙Ｐと像担持体２６との間の静電的引力を消失させる。これにより、ニップ部４０Ａから排出された記録紙Ｐは自重により像担持体２６から剥離し、転写ロール４０及び像担持体２６により定着装置４４へ搬送される。
【００２８】
定着装置４４は、ヒートロール５４及び加圧ロール５６により記録紙Ｐを挟持して搬送すると共に、記録紙Ｐ上へ転写されたトナー像を加熱及び加圧して定着し、定着が完了した記録紙Ｐを外装筐体１２の外部へ排出して排紙部１８上へ積載する。
【００２９】
またクリーニング装置３２は転写完了後に像担持体２６に残留したトナーを除去回収する。これにより、像担持体２６には、電子写真プロセスに基づいて新たなトナー像が形成可能になる。
【００３０】
次に、記録紙Ｐをガイド板４６，４８及び弾性ガイド板５０によりニップ部４０Ａへ案内する際の動作を詳細に説明する。レジロール３８のニップ部から送出された記録紙Ｐは、図３において２点鎖線で示されるように凸状に湾曲したガイド板４６の頂部へ接しながら先端が弾性ガイド板５０へ当接する位置まで移動する。この後、記録紙Ｐは弾性ガイド板５０へ接しながら移動し、図３において実線で示されるように先端を像担持体２６の外周面２６Ａへ当接させる。このとき、記録紙Ｐの先端と像担持体２６との接触角θは弾性ガイド板５０の剛性，自由端５０Ａの位置，記録紙Ｐの剛性等に応じて変化するが、本実施形態では一般的な記録紙Ｐとして用いられる紙において相対的に剛性が高いものを用いた場合に、この接触角θが６７°以下となるように弾性ガイド板５０の剛性，自由端５０Ａの位置等が調整されている。これにより、記録紙Ｐの先端が像担持体２６へ当接したときの搬送抵抗が過大にならず、記録紙Ｐの座屈やレジロール３８の空転が防止される。
【００３１】
像担持体２６へ当接した記録紙Ｐは、先端部を像担持体２６と共に作像方向へ移動させ、この作像方向の移動と共に弾性ガイド板５０から離間する。この後、記録紙Ｐは転写ロール４０のニップ部４０Ａへ挿入され、転写ロール４０及び像担持体２６により搬送が継続される。
【００３２】
以上説明した本実施形態の画像形成装置によれば、弾性ガイド板５０が固定端側のみがガイド板４８へ固定された弾性材料により構成されるので、弾性ガイド板５０は、大きな弾性変形が許容されないガイド部材４６，４８等と比較して高い剛性が必要なく、このような構造のガイド部材４６，４８と比較して薄い形状にできる。この結果、ニップ部４０Ａへ記録紙Ｐを案内するガイド板４６，４８，５０を設置するために必要となるスペースを減少できるので、転写ロール４０と現像装置２８とのクリアランスを狭くし、装置の小型化が可能になる。またガイド板４６及び弾性ガイド板５０により構成される搬送路Ｃに記録紙Ｐが詰まった場合には、プロセスカートリッジ２４を装着位置から抜き取ることにより、押圧部材５２が弾性ガイド板５０から離脱して弾性ガイド板５０の自由端５０Ａが記録紙Ｐから離間するので、搬送路Ｃに詰まった記録紙Ｐを簡単に除去できる。
【００３３】
また本実施形態の画像形成装置によれば、弾性ガイド板５０が自由端５０Ａをニップ部４０Ａへ接する直線（接線Ｘ）に対して上方の位置まで延出させていることにより、ニップ部４０Ａへ搬送される記録紙Ｐが弾性ガイド板５０の自由端５０Ａへ接することなく弾性ガイド板５０から離間するので、記録紙Ｐが自由端５０Ａへ圧接して記録紙Ｐの後端付近が撓み状態となり、記録紙Ｐが弾性ガイド板５０から離間する時の振動等により記録紙Ｐ上へ転写されているトナー像が乱れることが防止される。
【００３４】
また本実施形態の画像形成装置によれば、弾性ガイド板５０の導電部が金属フレーム，アースブス等へ配線されていることにより、ニップ部４０Ａへ搬送される記録紙Ｐが他の記録紙Ｐとの摩擦等により帯電されている場合に、この帯電された記録紙Ｐをニップ部４０Ａへ到達するまでに除電できるので、帯電電荷の影響によりニップ部４０Ａで像担持体２６から記録紙Ｐへ転写されるトナー像が乱れることが防止される。
【００３５】
本実施形態の画像形成装置では、単一の押圧部材５２により弾性ガイド板５０を押圧して案内位置へ弾性変形させる場合を説明したが、複数の押圧部材５２により弾性ガイド板５０を弾性変形させるようにしても、また現像装置２８の外壁部やプロセスカートリッジ２４のフレーム部等を弾性ガイド板５０へ面接触又は点接触させて弾性ガイド板５０を弾性変形させるようにしてもよい。
【００３６】
また本実施形態の画像形成装置では、弾性ガイド板５０の上流側端部を固定部とし、かつニップ部４０Ａ側の一端を自由端５０Ａとしたが、これとは逆にニップ部４０Ａ側の一端を固定端とし、かつ弾性ガイド板５０の上流側の一端を自由端とするように弾性ガイド板５０を支持してもよく、さらに弾性ガイド板５０の初期形状を自由端５０Ａを搬送路Ｃから離間するように湾曲した形状とし、これを押圧部材５２により直線状に弾性変形させるようにすることも可能である。
【００３７】
【発明の効果】
以上説明したように本発明に係る画像形成装置によれば、転写ロールと像担持体との圧接部へ記録媒体を案内するガイド部材を設置するために必要となるスペースを減少でき、かつ前記ガイド部により構成された搬送路に詰まった記録媒体を簡単に除去できる。
【図面の簡単な説明】
【図１】本発明の実施形態に係る画像形成装置の構成を示す断面図である。
【図２】本発明の実施形態に係る弾性ガイド板の弾性変形状態及び復元状態とプロセスカートリッジに設けられた押圧部材とを示す側面図である。
【図３】本発明の実施形態に係る弾性変形状態の弾性ガイド板及びこの弾性ガイド板によりニップ部へ案内される記録紙を示す側面図である。
【符号の説明】
１０      装置本体
１２      外装筐体
２４      プロセスカートリッジ
２６      像担持体
２８      現像装置
３８      レジロール（搬送部材）
４０      転写ロール（転写部材）
４０Ａ    ニップ部（圧接部）
４６      ガイド板
４８      ガイド板
５０      弾性ガイド板（弾性ガイド部材）
５０Ａ    自由端
５２      押圧部材
【図１】
0003758355.tif 000002
【図２】
0003758355.tif 000003
【図３】
0003758355.tif 000004